(57)【要約】【課題】プリント原稿とスキャン原稿の合成出力において、スキャン作業は一度デジタル複写機で行い、残りのスキャン画像指定及び合成出力作業はクライアントコンピュータ上で可能にすることを目的とする。【解決手段】複写機本体操作パネルからユーザＩＤを入力する手段、スキャン画像をユーザＩＤと共に画像固有ＩＤを付加してスキャン画像記憶手段に保存する手段、クライアントコンピュータからユーザ認証を行い、そのユーザのスキャン画像を公開するサーバ手段、クライアントコンピュータからのスキャン画像合成指示のある文書プリント要求を受信したとき、その文書と保存した画像固有ＩＤを持つ画像を合成出力する手段。【選択図】　　　　図１
2004015326.tif 000002
【特許請求の範囲】
【請求項１】
コンピュータネットワークと、クライアントコンピュータ、及びネットワークに接続可能なデジタル複写機から構成されるネットワークプリントシステムにおいて、
前記クライアントコンピュータは、ユーザが作成した文書をデジタル複写機にプリントするプリンタ制御ソフトウエア、及びサーバが公開する画像を閲覧するソフトウエアを搭載し、
前記デジタル複写機は、本体操作パネルからユーザＩＤを入力する手段、ユーザのスキャン指示により原稿台にセットされた原稿をスキャンする手段、スキャン画像を保持するための記憶手段、スキャン画像をユーザＩＤと共に画像固有ＩＤを関連付けて前記スキャン画像記憶手段に保存する手段、前記クライアントコンピュータからユーザＩＤと暗証記号によるユーザ認証を行い、そのユーザのスキャン画像を公開するサーバ手段、前記画像閲覧ソフトウエアからユーザが選択した画像の前記画像固有ＩＤを保持する手段、前記クライアントコンピュータからのスキャン画像合成指示のある文書プリント要求を受信したとき、その文書と前記保持してある画像固有ＩＤを持つ画像を合成出力する手段を備え、
前記プリンタ制御ソフトウエアは、スキャン画像合成指示をプリント要求に含める手段を備えたことを特徴とする、プリント原稿とスキャン画像の合成方法。
【請求項２】
請求項１において、ユーザのスキャン画像を公開するサーバ手段は画像公開する際にＨｙｐｅｒ　Ｔｅｘｔ　Ｔｒａｎｓｆｅｒ　Ｐｒｏｔｏｃｏｌ　を使用し、クライアントコンピュータに搭載される画像閲覧ソフトウエアは、Ｗｏｒｌｄ　Ｗｉｄｅ　Ｗｅｂ　ブラウザであることを特徴とする、プリント原稿とスキャン原稿の合成方法。
【請求項３】
請求項１において、ユーザがクライアントコンピュータから複数の画像を選択でき、画像固有ＩＤを保持する手段は複数のＩＤを保持し、ユーザからスキャナ原稿合成指示があったときに複数のスキャン画像を１ページに合成出力することを特徴とする、プリント原稿とスキャン原稿の合成方法。
【請求項４】
請求項１において、デジタル複写機のユーザＩＤとして、全ユーザが共通に使用できる共通ＩＤをもち、スキャンする際に共通ＩＤが指定されたスキャン画像は、すべてのユーザに公開することを特徴とする、プリント原稿とスキャン原稿の合成方法。
【請求項５】
請求項１において、ユーザがスキャン画像の出力位置を指定する手段を備えたことを特徴とする、プリント原稿とスキャン原稿の合成方法。
【請求項６】
請求項５において、出力位置指定手段は、ユーザがグラフィカルユーザインターフェースを使用することを特徴とする、プリント原稿とスキャン原稿の合成出力方法。
【請求項７】
請求項５において、出力位置指定手段は、ユーザがスキャン画像の基準点の、出力用紙の基準点からの相対距離を指定することを特徴とする、プリント原稿とスキャン原稿の合成方法。
【請求項８】
請求項１において、クライアントコンピュータからのユーザ指示により、ユーザのスキャン画像を削除する手段を備えたことを特徴とする、プリント原稿とスキャン原稿の合成方法。
【請求項９】
請求項１において、スキャン画像を保存する際に、通常のスキャン画像のほかに低解像度の画像も保存し、サーバで公開する際には低解像度の画像を公開、スキャン画像を合成出力際には通常のスキャン画像を使用することを特徴とする、プリント原稿とスキャン原稿の合成方法。
【請求項１０】
請求項１において、サーバで画像を公開する際に、その画像をスキャンした日時の情報を付加することを特徴とする、プリント原稿とスキャン原稿の合成方法。
【請求項１１】
請求項１０において、サーバで画像を公開する際に、公開時点から過去特定期間内にスキャンした画像のみを公開することを特徴とする、プリント原稿とスキャン原稿の合成方法。
【請求項１２】
請求項１において、スキャン原稿をスキャンする際に、ユーザＩＤの入力とともに、文字情報も入力する手段を備えたことを特徴とする、プリント原稿とスキャン原稿の合成方法。
【請求項１３】
請求項１２において、サーバで画像を公開する際に、入力した文字情報をもとに画像を検索する手段を備えたことを特徴とする、プリント原稿とスキャン原稿の合成方法。
【請求項１４】
コンピュータネットワークと、クライアントコンピュータ、ネットワークに接続可能なデジタル複写機、及びスキャン画像サーバから構成されるネットワークプリントシステムにおいて、
前記クライアントコンピュータは、ユーザが作成した文書をデジタル複写機にプリントするプリンタ制御ソフトウエア、及び前記サーバが公開する画像を閲覧するソフトウエアを搭載し、
前記デジタル複写機は、本体操作パネルからユーザＩＤを入力する手段、ユーザのスキャン指示により原稿台にセットされた原稿をスキャンする手段、スキャンした画像をユーザＩＤと共に前記画像サーバに送信する手段、前記クライアントコンピュータからのスキャン画像合成指示のある文書プリント要求を受信したとき、その文書と、文書プリント要求の中に含まれる画像固有ＩＤを持つ、画像サーバに保存されている画像を合成出力する手段を備え、
前記画像サーバは、スキャン画像を保持するための記憶手段、デジタル複写機から受信したスキャン画像をユーザＩＤとともに画像固有ＩＤを関連付けて前記画像記憶手段に保存する手段、前記クライアントコンピュータからユーザＩＤと暗証記号によるユーザ認証を行い、そのユーザのスキャン画像を公開するサーバ手段、前記画像閲覧ソフトウエアから指定された画像の固有ＩＤを画像閲覧ソフトウエアに送信する手段を備え、
前記プリンタ制御ソフトウエアは、スキャン画像合成指示と、画像閲覧ソフトウエアにより選択された画像固有ＩＤをプリント要求に含める手段を備えたことを特徴とする、プリント原稿とスキャン画像の合成方法。
【請求項１５】
請求項１４において、ユーザのスキャン画像を公開するサーバ手段は画像公開する際にＨｙｐｅｒ　Ｔｅｘｔ　Ｔｒａｎｓｆｅｒ　Ｐｒｏｔｏｃｏｌ（ＨＴＴＰ）を使用し、クライアントコンピュータに搭載される画像閲覧ソフトウエアは、Ｗｏｒｌｄ　Ｗｉｄｅ　Ｗｅｂ　ブラウザであることを特徴とする、プリント原稿とスキャン原稿の合成方法。
【請求項１６】
請求項１４において、ユーザがクライアントコンピュータから複数の画像を選択でき、画像固有ＩＤを保持する手段は複数のＩＤを保持すし、ユーザからスキャナ原稿合成指示があったときに複数のスキャン画像を１ページに合成出力することを特徴とする、プリント原稿とスキャン原稿の合成方法。
【請求項１７】
請求項１４において、デジタル複写機のユーザＩＤとして、全ユーザが共通に使用できる共通ＩＤをもち、スキャンする際に共通ＩＤが指定されたスキャン画像は、すべてのユーザに公開することを特徴とする、プリント原稿とスキャン原稿の合成方法。
【請求項１８】
請求項１４において、ユーザがスキャン画像の出力位置を指定する手段を備えたことを特徴とする、プリント原稿とスキャン原稿の合成方法。
【請求項１９】
請求項１８において、出力位置指定手段は、ユーザがグラフィカルユーザインターフェースを使用することを特徴とする、プリント原稿とスキャン原稿の合成出力方法。
【請求項２０】
請求項１８において、出力位置指定手段は、スキャン画像の基準点の、出力用紙の基準点からの相対距離をユーザが指定することを特徴とする、プリント原稿とスキャン原稿の合成方法。
【請求項２１】
請求項１４において、画像サーバは、クライアントコンピュータからのユーザ指示により、ユーザのスキャン画像を削除する手段を備えたことを特徴とする、プリント原稿とスキャン原稿の合成方法。
【請求項２２】
請求項１４において、スキャン画像を保存する際に、通常のスキャン画像のほかに低解像度の画像も保存し、画像サーバで公開する際には低解像度の画像を公開、デジタル複写機に送信するスキャン画像は通常のスキャン画像を使用することを特徴とする、プリント原稿とスキャン原稿の合成方法。
【請求項２３】
請求項１４において、画像サーバがスキャン画像を公開する際に、その画像をスキャンした日時の情報を付加することを特徴とする、プリント原稿とスキャン原稿の合成方法。
【請求項２４】
請求項２３において、サーバで画像を公開する際に、公開時点から過去特定期間内にスキャンした画像のみを公開することを特徴とする、プリント原稿とスキャン原稿の合成方法。
【請求項２５】
請求項１４において、スキャン原稿をスキャンする際に、ユーザＩＤの入力とともに、文字情報も入力する手段を備えたことを特徴とする、プリント原稿とスキャン原稿の合成方法。
【請求項２６】
請求項２５において、サーバで画像を公開する際に、入力した文字情報をもとに画像を検索する手段を備えたことを特徴とする、プリント原稿とスキャン原稿の合成方法。
【発明の詳細な説明】
【０００１】
【発明の属する技術分野】
本発明は、デジタル複写機が接続されたネットワークプリントシステムにおいて、プリント原稿とスキャン原稿の合成出力方法に関するものである。
【０００２】
【従来の技術】
従来、デジタル複写機が接続されたネットワークプリントシステムにおいて、プリント原稿とスキャン原稿を合成出力する場合、次のように構成されていた。
【０００３】
１）ユーザが合成出力する原稿をデジタル複写機の原稿台の上にセットし、クライアントコンピュータからスキャナ合成を指示し、スキャナ画像合成プリントを実行する。
【０００４】
２）ユーザが合成出力する原稿をデジタル複写機でスキャンし、その画像をデジタル複写機の画像記憶装置に一時的に保存し、クライアントコンピュータからのスキャナ合成を指示し、スキャナ画像合成プリントを実行する。
【０００５】
【発明が解決しようとする課題】
しかしながら上記従来例では、以下のような欠点があった。
【０００６】
プリント原稿とスキャン原稿を合成出力する際、デジタル複写機のスキャナ台にセットした原稿を使用する、あるいは一度保存した原稿を使用するため、原稿をセットしてから出力指示をするまでの間、他のユーザがデジタル複写機を使用できない。
【０００７】
原稿がセットされていることを知らないユーザがスキャナカバーを開けてしまった場合、原稿がずれたり、他の場所に移されていることがある、合成したい原稿が複数ある場合、何度もデジタル複写機とクライアントコンピュータを往復する必要がある。
【０００８】
【課題を解決するための手段】
上記目的を達成するために、本出願に係る第一の発明は、デジタル複写機は、本体操作パネルからユーザＩＤを入力する手段、ユーザのスキャン指示により原稿台にセットされた原稿をスキャンする手段、スキャン画像を保持するための記憶手段、スキャン画像をユーザＩＤと共に画像固有ＩＤを関連付けて前記スキャン画像記憶手段に保存する手段、前記クライアントコンピュータからユーザＩＤと暗証記号によるユーザ認証を行い、そのユーザのスキャン画像を公開するサーバ手段、前記画像閲覧ソフトウエアからユーザが選択した画像の前記画像固有ＩＤを保持する手段、前記クライアントコンピュータからのスキャン画像合成指示のある文書プリント要求を受信したとき、その文書と前記保持してある画像固有ＩＤを持つ画像を合成出力する手段を持ち、プリンタ制御ソフトウエアは、スキャン画像合成指示をプリント要求に含める手段を備えたことを特徴とする。
【０００９】
また、第二の発明は、デジタル複写機は、本体操作パネルからユーザＩＤを入力する手段、ユーザのスキャン指示により原稿台にセットされた原稿をスキャンする手段、スキャンした画像をユーザＩＤと共に前記画像サーバに送信する手段、前記クライアントコンピュータからのスキャン画像合成指示のある文書プリント要求を受信したとき、その文書と、文書プリント要求の中に含まれる画像固有ＩＤを持つ、画像サーバに保存されている画像を合成出力する手段を備え、画像サーバは、スキャン画像を保持するための記憶手段、デジタル複写機から受信したスキャン画像をユーザＩＤとともに画像固有ＩＤを関連付けて前記画像記憶手段に保存する手段、前記クライアントコンピュータからユーザＩＤと暗証記号によるユーザ認証を行い、そのユーザのスキャン画像を公開するサーバ手段、前記画像閲覧ソフトウエアから指定された画像の固有ＩＤを画像閲覧ソフトウエアに送信する手段を備え、プリンタ制御ソフトウエアは、スキャン画像合成指示と、画像閲覧ソフトウエアにより選択された画像固有ＩＤをプリント要求に含める手段を備えたことを特徴とする。
【００１０】
【発明の実施の形態】
（実施形態１）
図１から図６は本発明の第一の実施形態を表す図面であり、図１はネットワークプリントシステムで、１０１はコンピュータネットワーク、１０２および１０３はクライアントコンピュータ、１０４はネットワークに接続可能なデジタル複写機である。
【００１１】
図２はデジタル複写機１０４の内部ブロック図であり、２０１はシステム制御部、２０２はスキャナ、２０３は複写機操作パネル、２０４はプリンタ、２０５はスキャン画像記憶装置、２０６はコンピュータネットワークインターフェース、２０７はスキャナ制御部、２０８はプリンタ制御部、２０９は画像を公開するためのＨＴＴＰサーバ、２１０は複写機操作パネル制御部、２１１は複写機システム中央制御部である。
【００１２】
図３はスキャン画像記憶装置に保存されるスキャン画像データフォーマットを示したものであり、３０１はスキャン画像の集合であるスキャン画像格納ファイル、３０２はひとつのスキャン画像データを取り出したものであり、３０３はユーザＩＤ、３０４は画像ＩＤ、３０５は低解像度スキャン画像データ、３０６はスキャンした画像データである。
【００１３】
図４はクライアントコンピュータ上の閲覧ソフトウエア（本実施形態ではＷｏｒｌｄ　Ｗｉｄｅ　Ｗｅｂブラウザとする）の認証ユーザインターフェースであり、４０１はアプリケーションウインドウ、４０２はユーザＩＤ入力ボックス、４０３はパスワード入力ボックス、４０４は認証要求ボタン、４０５はアプリケーションウインドウクローズボタンである。
【００１４】
図５は閲覧ソフトウエア（本実施形態ではＷｏｒｌｄ　Ｗｉｄｅ　Ｗｅｂブラウザとする）の画像閲覧ユーザインターフェースであり、５０１はアプリケーションウインドウ、５０２は画像選択ボタン、５０３から５０８はＨＴＴＰサーバから送られてきた低解像度スキャン画像、５０９から５１４は画像選択ボタン、５１５はアプリケーションウインドウクローズボタン、５１６はスクロール領域、５１７はアプリケーションウインドウサイズ変更領域である。
【００１５】
図６はクライアントコンピュータに搭載されているプリンタ制御ソフトウエアの印刷設定ウインドウであり、６０１は印刷設定ウインドウ、６０２は部数設定ボックス、６０３はスキャナ合成指定ボタン、６０４は印刷属性設定ボタン、６０５は何もせずに印刷設定ウインドウを閉じるためのキャンセルボタン、６０６は印刷開始を指示するための印刷ボタンである。
【００１６】
次に、図１から図６を用いて、ユーザがスキャン原稿とプリント原稿を合成出力する手順を具体的に説明する。なお、プリントの際に合成する画像は、デジタル複写機１０４の画像データ記憶装置２０５には未だ格納されてないものとする。また、本実施形態のユーザのユーザＩＤは１０００とする。
【００１７】
まず、ユーザは合成する原稿を持ち、デジタル複写機の前に行く。次に、原稿をスキャナ２０２にのせ、複写機操作パネルにユーザＩＤである１０００を入力する。この時点で、ユーザＩＤは複写機パネル制御部２０８から複写機システム中央制御部２１１に送られる。その後、ユーザは複写機操作パネルのスキャンボタンを押し、原稿をスキャンする。この時点で、スキャン画像は複写機システム中央制御部２１１を通して、画像データフォーマット３０２の形式で、画像データ記憶装置に格納される。この時のデータフォーマット３０２のデータ内容は、ユーザＩＤ３０３は１０００，画像ＩＤ３０４は複写機システム中央制御部２１１により１００が割り当てられたとする。また低解像度画像データ部３０５には解像度７２ｄｐｉの画像データが、画像データ部には３０６にはスキャンした画像データが保存される。
【００１８】
次に、ユーザは自分のクライアントコンピュータに戻り合成出力の手順に移る。まず自分の画像を閲覧するためにＷｏｒｌｄ　Ｗｉｄｅ　Ｗｅｂブラウザ（Ｗｅｂブラウザ）を起動して、デジタル複写機１０４のネットワークアドレスを指定してＨＴＴＰ画像サーバ２０９に接続する。接続するとユーザ認証を行うために、ユーザＩＤとパスワードを入力する。ここでは、ユーザＩＤ入力ボックス４０２に１０００を、このユーザのパスワードをパスワード入力ボックス４０３に入力する。続いて、認証要求ボタン４０４を押下し、認証を行う。
【００１９】
ここでユーザの認証が行われると、Ｗｅｂブラウザの画面は図５のように切り替わる。図５のスキャン画像表示において、スキャン画像は左から右へ、上から下へ最新順にならべてあるものとし、先程スキャンした画像は５０３に表示されているものとする。ユーザはスキャン画像５０３を合成出力するので、選択ボタン５０９を押下する。続いてこの選択を通知するために選択ボタン５０２を押下する。
【００２０】
ここで、Ｗｅｂブラウザとデジタル複写機間では次のような動作が実行される。ユーザが選択ボタン５０２を押下すると、４０３が選択されているという情報がデジタル複写機に送信される。デジタル複写機はこの情報をネットワークインターフェース２０６を通して複写機システム中央制御部が受け取り、ユーザＩＤが１０００のユーザが固有画像ＩＤが１００のスキャン画像を選択したことを記録する。
【００２１】
次に、ユーザはスキャナ合成の文書プリントを実行する。まず、クライアントコンピュータ上で文書を作成したアプリケーションに対してプリントの指示をする。これにより、印刷ウインドウ６０１が表示される。ここでユーザは次の設定を行う。印刷部数は１部とし、印刷部数設定ボックス６０２に１を入力する。次にこの文書はスキャナ合成を行うため、スキャナ合成設定では「する」を選択する。さらに文書の印刷属性を設定したい場合は印刷詳細設定ボタン６０４を押下して印刷詳細設定ウインドウで設定するが、この設定は本実施形態では本質ではなく、続く説明に影響がないため説明を省略する。ここで印刷設定が完了したのでユーザは印刷ボタン６０６を押下する。
【００２２】
ユーザが印刷ボタン６０６を押下した後、プリンタ制御ソフトウエアとデジタル複写機は次のようにしてスキャナ合成出力を行う。
【００２３】
プリンタ制御ソフトウエアはユーザの印刷ボタン押下の後、少なくとも「スキャナ合成あり」の印刷属性とユーザＩＤの情報を持った印刷データをデジタル複写機に送信する。次にこのデータを受信したデジタル複写機の中央制御部２１１は、このデータのユーザＩＤが１０００で「スキャナ合成あり」という印刷属性を理解する。これにより、複写機システム中央制御部２１１は前の手順でユーザＩＤが１０００のユーザが選択した、固有画像ＩＤが１００のスキャン画像をスキャン画像記憶装置２０５から取得し、印刷データと合成して出力を行う。
【００２４】
以上のように、デジタル複写機が接続されたネットワークプリントシステムにおいて、プリント原稿とスキャン原稿の合成出力を行うことができる。
【００２５】
（実施形態２）
図６から図１２は本発明の第一の実施形態を表す図面であり、図６は第一の実施形態と同じため説明は省略する。
【００２６】
図７はネットワークプリントシステムで、７０１はコンピュータネットワーク、７０２および７０３はクライアントコンピュータ、７０４はネットワークに接続可能なデジタル複写機、７０５はスキャン画像を保存するスキャン画像サーバであり、本実施形態ではサーバプロトコルとしてＨＴＴＰを使用する。
【００２７】
図８はデジタル複写機７０４の内部ブロック図であり、８０１はシステム制御部、８０２はスキャナ、８０３は複写機操作パネル、８０４はプリンタ、８０５はコンピュータネットワークインターフェース、８０６は複写機システム中央制御部、８０７はスキャナ制御部、８０８は複写機操作パネル制御部、８０９はプリンタ制御部である。
【００２８】
図９はスキャン画像サーバ７０５の内部ブロック図であり、９０１はプロトコルとしてＨＴＴＰを使用する画像サーバ、９０２はスキャン画像記憶装置である。
【００２９】
図１０はスキャン画像記憶装置に保存されるスキャン画像データフォーマットを示したものであり、１００１はスキャン画像の集合であるスキャン画像格納ファイル、１００２はひとつのスキャン画像データを取り出したものであり、１００３はユーザＩＤ、１００４は画像ＩＤ、１００５はこのスキャン画像が作成された日付、１００６は低解像度スキャン画像データ、１００７はスキャンした画像データである。
【００３０】
図１１はクライアントコンピュータ上の閲覧ソフトウエア（本実施形態ではＷｏｒｌｄ　Ｗｉｄｅ　Ｗｅｂブラウザとする）の認証ユーザインターフェースであり、１１０１はアプリケーションウインドウ、１１０２はユーザＩＤ入力ボックス、１１０３はパスワード入力ボックス、１１０４は現在から何日以内のスキャン画像を表示するかの期間指定ボックス、１１０５は認証要求ボタン、１１０６はアプリケーションウインドウクローズボタンである。
【００３１】
図１２は閲覧ソフトウエアの画像閲覧ユーザインターフェースであり、１２０１はアプリケーションウインドウ、１２０２は画像選択ボタン、１２０３から１２０６はスキャン画像が保存された日付、１２０７から１２１０はＨＴＴＰサーバから送られてきた低解像度スキャン画像、１２１１から１２１４は画像選択ボタン、１２１５はアプリケーションウインドウクローズボタンである。
【００３２】
次に、図６から図１２を用いて、ユーザがスキャン原稿とプリント原稿を合成出力する手順を具体的に説明する。なお、プリントの際に合成する画像は、スキャン画像サーバ７０５のスキャン画像記憶装置９０２には未だ格納されてないものとする。また、本実施形態のユーザのユーザＩＤは１０００とする。
【００３３】
まず、ユーザは合成する原稿を持ち、デジタル複写機の前に行く。次に、原稿をスキャナ８０２にのせ、複写機操作パネルにユーザＩＤである１０００を入力する。この時点で、ユーザＩＤは複写機パネル制御部８０３から複写機システム中央制御部８０６に送られる。その後、ユーザは複写機操作パネルのスキャンボタンを押し、原稿をスキャンする。この時点で、スキャン画像は複写機システム中央制御部８０６及びネットワークインターフェース８０５を通して、画像データフォーマット１００２の形式で、スキャン画像サーバ７０５に送信される。このスキャン画像は格納画像ファイル１００１としてスキャン画像記憶装置９０２に格納される。この時のデータフォーマット１００２のデータ内容は、ユーザＩＤ１００３は１０００，画像ＩＤ１００４はスキャン画像サーバ９０１により１００が割り当てられたとする。日付１００５は１９９８年１２月２４日、また低解像度画像データ部１００６には解像度７２ｄｐｉの画像データが、画像データ部には１００７にはスキャンした画像データが保存される。
【００３４】
次に、ユーザは自分のクライアントコンピュータに戻り合成出力の手順に移る。まず自分の画像を閲覧するためにＷｏｒｌｄ　Ｗｉｄｅ　Ｗｅｂブラウザ（Ｗｅｂブラウザ）を起動して、スキャン画像サーバ７０５のネットワークアドレスを指定してスキャン画像サーバ９０１に接続する。接続するとユーザ認証を行うためにユーザ認証ウインドウが表示されるため、ここにユーザＩＤとパスワード、及び表示するスキャン画像の期間を入力する。ここでいうスキャン画像の期間とは、現在から何日前までにスキャンした画像を表示するかという意味である。単位は日で入力することとする。ここで、ユーザＩＤ入力ボックス１１０２に１０００を、このユーザのパスワードをパスワード入力ボックス１１０３に入力する。また、表示する期間は過去３０日間とするため、期間入力ボックス１１０４には３０と入力する。続いて、認証要求ボタン１１０５を押下し、認証を行う。
【００３５】
ここでユーザの認証が行われると、Ｗｅｂブラウザの画面は図１２のように切り替わる。図１２のスキャン画像表示において、スキャン画像は左から右へ、上から下へ最新順にならべてあるものとし、先程スキャンした画像は１２０７に表示されているものとする。また、表示するスキャン画像の期間は過去３０日と指定したため、ここには１９９８年１１月３０日までの６個のスキャン画像が表示されている。ここで、ユーザはスキャン画像１２０７を合成出力するので、選択ボタン１２１１を押下する。続いてこの選択を通知するために選択ボタン１２０２を押下する。ここで、Ｗｅｂブラウザとスキャン画像サーバでは次のような動作が実行される。ユーザが選択ボタン１２０２を押下すると、１２０７が選択されたという情報がスキャン画像サーバに送信される。スキャン画像サーバはこの情報を、ユーザＩＤが１０００のユーザが、固有画像ＩＤが１００のスキャン画像を選択したことを記録する。
【００３６】
次に、ユーザはスキャナ合成の文書プリントを実行する。まず、クライアントコンピュータ上で文書を作成したアプリケーションに対してプリントの指示をする。これにより、印刷ウインドウ６０１が表示される。ここでユーザは次の設定を行う。印刷部数は１部とし、印刷部数設定ボックス６０２に１を入力する。次にこの文書はスキャナ合成を行うため、スキャナ合成設定では「する」を選択する。さらに文書の印刷属性を設定したい場合は印刷詳細設定ボタン６０４を押下して印刷詳細設定ウインドウで設定するが、この設定は本実施形態では本質ではなく、続く説明に影響がないため説明を省略する。ここで印刷設定が完了したのでユーザは印刷ボタン６０６を押下する。
【００３７】
ユーザが印刷ボタン６０６を押下した後、プリンタ制御ソフトウエアとスキャン画像サーバ及びデジタル複写機は次のようにしてスキャナ合成出力を行う。
【００３８】
プリンタ制御ソフトウエアはユーザの印刷ボタン押下の後、少なくとも「スキャナ合成あり」の印刷属性とユーザＩＤの情報を持った印刷データをデジタル複写機に送信する。次にこのデータを受信したデジタル複写機の中央制御部８０６は、このデータのユーザＩＤが１０００で「スキャナ合成あり」という印刷属性を理解する。これにより、複写機システム中央制御部８０６はスキャナ画像サーバ７０５に対してユーザＩＤが１０００のユーザが選択した画像を要求する。スキャン画像サーバはこの要求に対して、ユーザＩＤが１０００のユーザは固有画像ＩＤが１００の画像を選択していることを知っているので、この画像を複写機システム中央制御部８０６に対して送信する。
複写機システム中央制御部はこの受信したデータと印刷データと合成して出力を行う。
【００３９】
以上のように、デジタル複写機及びスキャン画像サーバが接続されたネットワークプリントシステムにおいて、プリント原稿とスキャン原稿の合成出力を行うことができる。
【００４０】
【発明の効果】
以上説明したように本出願の発明によれば、プリント原稿とスキャン原稿を合成出力する際、スキャン原稿はユーザＩＤ及び固有画像ＩＤとともにデジタル複写機のサーバあるいはネットワークに接続された画像サーバに保存され、ユーザは合成出力する画像をクライアントコンピュータから閲覧及び選択するため、原稿をスキャンする際、デジタル複写機を占有する時間が最小となる、原稿をセットしたままデジタル複写機を離れることがなくなるので、他のユーザがスキャナ台にセットした原稿に触れてしまうことがない、スキャン画像をサーバに登録できるため、同じ原稿を何度もスキャンする必要がなくなる、合成したい原稿が複数ある場合、デジタル複写機から離れずに、一度にサーバに登録できるため、何度もデジタル複写機とクライアントコンピュータの間を往復する必要がなくなる、という効果がある。
【図面の簡単な説明】
【図１】ネットワークプリントシステム。
【図２】デジタル複写機内部ブロック図。
【図３】スキャン画像データフォーマット。
【図４】ユーザ認証ユーザインターフェース。
【図５】画像閲覧ユーザインターフェース。
【図６】印刷設定ウインドウ。
【図７】ネットワークプリントシステム。
【図８】デジタル複写機内部ブロック図。
【図９】スキャン画像サーバ内部ブロック図。
【図１０】スキャン画像データフォーマット。
【図１１】ユーザ認証ユーザインターフェース。
【図１２】画像閲覧ユーザインターフェース。
【符号の説明】
１０１　コンピュータネットワーク
１０２及び１０３　クライアントコンピュータ
１０４　デジタル複写機
２０１　システム制御部
２０２　スキャナ
２０３　複写機操作パネル
２０４　プリンタ
２０５　スキャン画像記憶装置
２０６　コンピュータネットワークインターフェース
２０７　スキャナ制御部
２０８　プリンタ制御部
２０９　ＨＴＴＰサーバ
２１０　複写機操作パネル制御部
２１１　複写機システム中央制御部
３０１　スキャン画像格納ファイル
３０２　スキャン画像データ
３０３　ユーザＩＤ領域
３０４　画像ＩＤ領域
３０５　低解像度スキャン画像データ領域
３０６　スキャン画像データ領域
４０１　アプリケーションウインドウ
４０２　ユーザＩＤ入力ボックス
４０３　パスワード入力ボックス
４０４　認証要求ボタン
４０５　アプリケーションウインドウクローズボタン
５０１　アプリケーションウインドウ
５０２　画像選択ボタン
５０３から５０８　低解像度スキャン画像
５０９から５１４　画像選択ボタン
５１５　アプリケーションウインドウクローズボタン
５１６　スクロール領域
５１７　アプリケーションウインドウサイズ変更領域
６０１　印刷設定ウインドウ
６０２　部数設定ボックス
６０３　スキャナ合成指定ボタン
６０４　印刷属性設定ボタン
６０５　キャンセルボタン
６０６　印刷ボタン
７０１　コンピュータネットワーク
７０２及び７０３　クライアントコンピュータ
７０４　デジタル複写機
７０５　スキャン画像サーバ
８０１　システム制御部
８０２　スキャナ
８０３　複写機操作パネル
８０４　プリンタ
８０５　コンピュータネットワークインターフェース
８０６　複写機システム中央制御部
８０７　スキャナ制御部
８０８　複写機操作パネル制御部
８０９　プリンタ制御部
９０１　画像サーバ
９０２　スキャン画像記憶装置
１００１　スキャン画像格納ファイル
１００２　スキャン画像データ
１００３　ユーザＩＤ領域
１００４　画像ＩＤ領域
１００５　日付領域
１００６　低解像度スキャン画像データ
１００７　スキャン画像データ
１１０１　アプリケーションウインドウ
１１０２　ユーザＩＤ入力ボックス
１１０３　パスワード入力ボックス
１１０４　期間指定ボックス
１１０５　認証要求ボタン
１１０６　アプリケーションウインドウクローズボタン
１２０１　アプリケーションウインドウ
１２０２　画像選択ボタン
１２０３から１２０８　日付
１２０９から１２１４　低解像度スキャン画像
１２１５から１２２０　画像選択ボタン
１２１６　アプリケーションウインドウクローズボタン
【図１】
2004015326.tif 000003
【図２】
2004015326.tif 000004
【図３】
2004015326.tif 000005
【図４】
2004015326.tif 000006
【図５】
2004015326.tif 000007
【図６】
2004015326.tif 000008
【図７】
2004015326.tif 000009
【図８】
2004015326.tif 000010
【図９】
2004015326.tif 000011
【図１０】
2004015326.tif 000012
【図１１】
2004015326.tif 000013
【図１２】
2004015326.tif 000014